(57)【要約】      （修正有）【課題】本発明は、取付脚を金属ケース付きコンデンサに取り付けする場合、コンデンサが回転などせずに外部端子と取付脚の取付方向が確定でき、十分な固定強度を得るのに、取付脚の構成が簡素で、作業方法が簡便なものを得る。【解決手段】一端部に切り欠け部を設けるとともにツバが設けられた取付脚を、コンデンサ素子を収納したケースの周辺に嵌め、この切り欠け部の周辺に熱収縮スリーブかぶせて、熱収縮させることでこの取付脚とこのコンデンサを固定する。【選択図】図１
2005340341.tif 000002
【特許請求の範囲】
【請求項１】
取付脚付コンデンサにおいて、
ケースにコンデンサ素子を収納したコンデンサと、
少なくとも一端部に切り欠け部を設けるとともにツバが設けられ、前記ケースの周辺に嵌める取付脚と、
少なくとも前記切り欠け部にかぶせて、熱収縮させることで前記取付脚と前記コンデンサを固定する熱収縮スリーブと、
を備えることを特徴とする取付脚付コンデンサ。
【請求項２】
前記取付脚の切り欠け部の内面に、ツメ部を設けることを特徴とする請求項１の取付脚付コンデンサ。
【請求項３】
前記ケースに設けた蓋と、
前記蓋側端部にカバー部を設け、反対側端部に切り欠け部を設けるとともに、ツバ部が設けられた取付脚と、
前記蓋の面と前記カバー部の面とが相対的に回転しないようにする固定具または歯止部分と、
を備えることを特徴とする請求項１の取付脚付コンデンサ。
【発明の詳細な説明】
【技術分野】
【０００１】
本発明は，電子機器や産業機器に使用され、使用機器に取り付けるための取付脚を有する取付脚付コンデンサに関するもので、特に取付脚付ケース入りコンデンサに関するものである。
【背景技術】
【０００２】
従来、取付脚をコンデンサに取り付けする場合、図７に示したように、テーパー形状を利用して、内部取付脚１５に外部取付脚１６を嵌め込み、内部取付脚１５の嵌め込み部分に設けた切り欠け部６をコンデンサに押し当て、コンデンサを取付脚に固定する方法がある（たとえば、特許文献１）。
【０００３】
また、図８に示したように、ケース１周辺に溝１７を設け、この溝１７に取付脚の弾性アーム（切り欠け部に近似）に設けた突起１８を嵌合させる方法があり、コンデンサの回転防止のために、この取付脚の弾性アームを結束バンド１９で縛る方法がある（たとえば、特許文献２）。
【特許文献１】特開平６−３６９６４
【特許文献２】特開平５−１９８４５７
【発明の開示】
【発明が解決しようとする課題】
【０００４】
しかしながら、上記特許文献１の２つの取付脚にてコンデンサを取付脚に固定する方法では、取付脚の金型が増えたり、取付脚のテーパー形状間相互精度の摺り合せも必要になる。また、上記特許文献２のケース周辺に溝を設ける方法では、十分な固定方法にはならず、コンデンサが回転しやすいために結束バンドを用いるが、コンデンサごとに個別に縛る作業をしなければならないし、また、一般には手作業にならざるを得ないので縛る強度に個体差がでやすい。
【課題を解決するための手段】
【０００５】
本発明は上記の課題を解決するために、取付脚付コンデンサにおいて、ケースにコンデンサ素子を収納したコンデンサと、少なくとも一端部に切り欠け部を設けるとともにツバが設けられ、前記ケースの周辺に嵌める取付脚と、少なくとも前記切り欠け部にかぶせて、熱収縮させることで前記取付脚と前記コンデンサを固定する熱収縮スリーブと、を備えることを特徴とする取付脚付コンデンサを提供するものである。
また、 前記取付脚の切り欠け部の内面に、ツメ部を設けることを特徴とする前記取付脚付コンデンサを提供するものである。
また、前記ケースに設けたの蓋と、前記蓋側端部にカバー部を設け、反対側端部に切り欠け部を設けるとともにツバ部が設けられた取付脚と、前記蓋の面と前記カバー部の面とが相対的に回転しないようにした固定具または歯止部分と、を備えることを特徴とする前記取付脚付コンデンサを提供するものである。
【発明の効果】
【０００６】
以上の通り、本発明によれば、１つの取付脚にてコンデンサを取付脚に固定するので、取付脚の金型が増加しないしまた、取付脚間の相互精度の摺り合せもない。また、熱処理固定のため、結束バンドのようにコンデンサごとに個別に固定せずに、複数のコンデンサを同時にまたは連続的に取付脚に固定することができるので、固定強度の個体差も出にくい。
また、結束バンドのようなひも材に比べ大面積を均一に絞めるために、取付脚の切り欠け部は面でケースに接触しやすく、安定した固定ができる。
また、ケースとして金属を使用した場合、一般的に絶縁用の外装熱収縮スリーブをかぶせるが、このスリーブと本願発明の固定用のスリーブは兼用が可能でその分、部品点数の削減ができる。
また、取付脚の切り欠け部の内面にツメ部を設けることにより、スリーブ収縮時にツメ部がケース側へ密着するようケースが折れ込み、これによりケースと取付脚の固定強度が向上する。
また、ケースに設けた蓋の面と取付脚のカバーの面とが相対的に回転しないようにする、つまりコンデンサが回転しないようにする固定具または固定部分とを備えることで前記取付脚の取付位置と端子リードの位置を容易に決定できる。
【発明を実施するための最良の形態】
【０００７】
以下、本発明の実施の形態を図面に基づいて説明する。
図１は、本発明のコンデンサの一例の断面図を示している。
１はケースで、有底柱状であり、コンデンサ素子（図示せず）が収納されている。このコンデンサ素子は、陽極箔と陰極箔を、電解紙をはさんで巻回したものである。また、コンデンサ素子としては、真空蒸着等した金属化紙や金属化フィルムを巻回した構造のものを用いてもよい。ケース１の材質は金属材からなるケースであり、特に限定はないが、腐食性が少なく、延性や展性にとんだ、たとえば、アルミニウム、鉄、銅、チタン、マグネシウムやそれらの合金等が選ばれる。場合によってはプラスチック等でもかまわない。
２はコンデンサ素子からケース外部に引き出された一対のリード端子である。
３は取付脚で、ケース１側面周辺に嵌められる。取付脚３にはツバ部４を設け、ツバ部４には取付穴部５を設ける。取付脚３の一端部または両端部には切り欠け部６を設け、変形しやすくする。切り欠け部６とは切り欠いた部分と残った部分全体の範囲を指す。取付脚３の材質は場合によっては金属等でもかまわないが、一般的には射出成形可能で絶縁性を有する樹脂がよく、使用機器に取り付け、使用され振動などで破損しないもので、ポリブチレンテレフタレートやポリフェニリンサルファイド、ポリプロピレン、ポリフェニレンエーテル、フェノールなどから選ばれる。
【０００８】
７は熱収縮スリーブで、塩化ビニール、ポリエチレンテレフタレート、ポリオレフィン等の熱により収縮性を持つチューブ状のものから選ばれる。寸法安定性の面から加熱前後の長さ方向の変化率の少ないものが選ばれる。また、１０５℃以上の高温対応としては、電子線などによる架橋ポリオレフィンがこのましい。この熱収縮スリーブは、少なくとも切り欠け部６を囲むように配置し、ヒートガンによる熱風などで収縮させ、切り欠け部５を変形させてケース１に押し当てて固定する。金属ケースの場合、取付脚でカバーしきれない露出されたケースの側面および底面に至る部分も同熱収縮スリーブで同時に被覆することもできる。また、熱収縮スリーブをケース被覆用と固定用またはラベル印刷用と材質、膜厚または被覆範囲等を適宜選択して積層させてもよい。また、内面に接着剤付きの熱収縮スリーブを使用すると、切り欠け部の切り欠いた部分と残った部分の段差を効果的の埋めることができることから脚の固定強度、コンデンサの抗回転が向上する。
熱収縮スリーブの加熱は１５０〜２５０℃程度、時間は１０〜６０秒程度でおこなう。複数コンデンサの場合、熱風熱収縮はベルトラインまたはバッチ槽などで連続的にまたは一括的に処理することもできる。
切り欠け部６の残部内面に突起を設け、ケース側の同対面部分に溝を設けて嵌合後、熱収縮スリーブ７で締め付けてもよい。
【０００９】
図２は、本発明コンデンサの固定強度改善例の断面図を示している。取付脚の切り欠け部の残部内面にツメ部８（先の尖った突起）を設けることにより、スリーブ収縮時にツメ部８がケースの対応する部分側へ密着するようケース１に折れ込み部分ができ、これによりケースと取付脚の固定強度が向上し、コンデンサの回転も防止できる。
【００１０】
図３から図６は、ケースが円柱の場合のコンデンサであって、本発明コンデンサが特に回転しないようにした固定具または歯止部分とを備えた改善例の断面図を示している。なお、これらの固定具または歯止部分は回転の中心から外れた位置にあり、１箇所以上設ける。
【００１１】
図３は、取付脚３の切り欠け部と反対側である上端部にカバー部９を設け、このカバー部９にはリード端子２の位置に、リード端子の断面と同じ程度の少なくとも１つの貫通部１０を設けて、リード端子２を貫通させてコンデンサが回転しないようにする方法を示している。図４は、図３の上面図を示している。リード端子部以外の取付脚３の上端部全面を覆うのも可能である。貫通部１０はコンデンサの回転方向規制であり、その方向に規制される形状であればかまわない。
【００１２】
また、図５、図６には、金属ケース１ａにコンデンサ素子１１を入れ、ポリプロピレン・ポリフェニリンサルファイド・フェノール等の絶縁樹脂製の蓋１２で封口したタイプのコンデンサを例として示している。リード端子２は蓋１２を通して外部に引き出した構造になっている。なお、ケースにコンデンサ素子を収納し、エポキシ樹脂等の絶縁樹脂で充填した場合はこの充填体が蓋の代用となる。
【００１３】
図５は、取付脚３の切り欠け部と反対側となる上端部のカバー部９底面に凸部（または凹部）を設け、その部分の蓋上面にその凸部に対応する凹部（または凸部）を設けてなる歯止部分１３を設ける方法を示している。
【００１４】
図６は、取付脚３の切り欠け部と反対側となる上端部にカバー部９からその真下の蓋１２上面内部にネジ止め等による固定具１４を設ける方法を示している。くさび等のピンでもかまわない。
【図面の簡単な説明】
【００１５】
【図１】本発明の実施の形態の断面図である。
【図２】本発明の別の実施の形態の断面図である。
【図３】本発明の別の実施の形態の断面図である。
【図４】図３の上面図である。
【図５】本発明の別の実施の形態の断面図である。
【図６】本発明の別の実施の形態の断面図である。
【図７】従来例の断面図である。
【図８】従来例の別の断面図である。
【符号の説明】
【００１６】
１…ケース、１ａ…金属ケース、２…リード端子、３…取付脚、４…ツバ部、５…取付穴部、６…切り欠け部、７…熱収縮スリーブ、８…ツメ部、９…カバー部、１０…貫通部、１１…コンデンサ素子、１２…蓋、１３…歯止部分、１４…固定具、１５…内部取付脚、１６…外部取付脚、１７…溝、１８…突起、１９…結束バンド。
【図１】
2005340341.tif 000003
【図２】
2005340341.tif 000004
【図３】
2005340341.tif 000005
【図４】
2005340341.tif 000006
【図５】
2005340341.tif 000007
【図６】
2005340341.tif 000008
【図７】
2005340341.tif 000009
【図８】
2005340341.tif 000010